(57)【要約】窓へ接着プライマーを適用するための方法。本方法は、光（１１）を窓（１０）方向に向けて窓の一部分（１３）を照明し；その後窓の照明部分に沿って接着プライマーを適用する工程を含む。接着プライマーが蒸発成分を含有する場合は、前記方法は、接着プライマーが適用された領域を表示するように、成分の蒸発の際窓の赤外画像（１９）を形成する工程を更に含む。接着プライマーが、紫外線を照射した際蛍光を発する成分を含有する場合は、前記方法は、接着プライマーが適用された領域（２３）を表示するように、紫外線（２２）を窓に照射する工程を更に含む。
2005529739.tif 000002
【特許請求の範囲】
【請求項１】
（ａ）光（１１）を窓（１０）方向に向けて、窓（１０）の一部分（１３）に照明を施し；（ｂ）窓（１０）の照明部分に沿って接着プライマー（１５）を適用する工程により特徴づけられる、窓（１０）への接着プライマー（１５）の適用方法。
【請求項２】
工程（ａ）が、窓(１０)上に照明線(１３)を明らかに形成するのに十分な繰り返し速度で、窓(１０)上に光線(１１)を繰り返しスキャンすることを含む請求項１記載の方法。
【請求項３】
前記光線（１１）がレーザー光線である請求項２記載の方法。
【請求項４】
前記接着プライマーが蒸発成分を含有し、そして前記方法が、接着プライマーが適用された領域（１5）を表示するように、成分蒸発の際、窓の赤外画像（１９）を形成する工程を更に含む請求項１記載の方法。
【請求項５】
前記接着プライマーが蒸発成分を含有し、そして前記方法が、接着プライマーが適用された領域（１5）を表示するように、成分蒸発の際、窓の赤外画像（１９）を形成する工程を更に含む請求項３記載の方法。
【請求項６】
前記接着プライマーが、紫外線を照射した際蛍光を発する成分を含有し、そして前記方法が、接着プライマーが適用された領域（２３）を表示するように、紫外線（２２）を窓に照射する工程を更に含む請求項１記載の方法。
【請求項７】
前記接着プライマーが、紫外線を照射した際蛍光を発する成分を含有し、そして前記方法が、接着プライマーが適用された領域（２３）を表示するように、紫外線（２２）を窓に照射する工程を更に含む請求項３記載の方法。
【発明の詳細な説明】
【技術分野】
【０００１】
本発明は、窓へ接着プライマーを適用する方法に関し、前記接着プライマーは、窓ガラスとその窓に成形された接着剤もしくはポリマー間の結合力の増強、又は窓上の塗料皮膜と接着剤間の結合力の増強、又は窓上に成形されたポリマーと接着剤間の結合力の増強のためのものである。
【背景技術】
【０００２】
米国特許第５,７９２,８１１号において検討されているように、当今の自動車の固定されたガラス窓(例えば、フロントガラス)は、塗料を施したスチール車体に、接着剤(例えば、ウレタン接着剤)を用いて結合されている。窓の周囲は、「エナメルバンド」と呼ばれる黒色化粧塗料で通常予めコーテイングされている。プライマーをこのエナメルバンドに、自動車に結合すべき窓領域に沿って適用して、エナメルバンドと硬化接着剤間の結合力を向上させる。
【０００３】
プライマーを適用すべきエナメルバンド領域は、機械的手段、例えば、エッジガイド又はテンプレートを用いて調整できる。或いは、プライマーを適用すべきエナメルバンド領域を、エナメルバンド上に印刷又はマークしたパターンにより表示できる。プライマーをロボットにより適用するならば、エナメルバンドの所望領域にプライマーを適用するように、そのロボットにプログラムを組み込んでおくことができる。
【０００４】
プライマーは、エナメルバンドに適用後は視覚的に検出できない場合が多い。したがって、プライマーを要するエナメルバンド領域に適切にプライマーが適用されたか否かを検知することは困難である。プライマーを適用すべき領域を表示し、その後前記領域にプライマーが適用されたことを確認できる方法が開発されれば、接着プライマーを前記のような窓のエナメルバンドに適用する技術分野における進歩となるであろう。
【発明の開示】
【０００５】
本発明は、窓へ接着プライマーを適用するための改良方法を提供する。更に本発明はまた、このような領域にプライマーが適用されたことを確認するための改良方法を提供する。更に具体的には、本発明は、（ａ）光を窓方向に向けて窓の一部分に照明を施し；（ｂ）窓の照明部分に沿って接着プライマーを適用する工程により特徴づけられる、窓への接着プライマーの適用方法である。接着プライマーが蒸発成分を含有する場合は、この方法は、接着プライマーが適用された領域を表示するように、成分蒸発の際、窓の赤外画像を形成する工程を更に含むことができる。接着プライマーが、紫外線を照射した際蛍光を発する成分を含有する場合は、この方法は、接着プライマーが適用された領域を表示するように、紫外線を窓に照射する工程を更に含むことができる。
【発明を実施するための最良の形態】
【０００６】
図１を参照すると、車のフロントガラス（ｗｉｎｄｓｈｉｅｌｄ）１０が示されている。フロントガラス１０の周囲は「エナメルバンド」と呼ばれる黒色化粧塗料バンド１０ａでコーテイングされている。窓１０は、レーザー光スキャナー１２から発せられる光線１１で繰り返しスキャンされる。このレーザー光スキャナー１２はフロントガラス１０のバンド１０ａを繰り返しスキャンして、バンド１０ａ上に発光線１３を形成する。
【０００７】
図２を参照すると、図１の車のフロントガラス、光線１１、レーザー光スキャナー１２及び発光線１３が示されている。接着プライマーアプリケーター１４を用いて、発光線１３に沿って接着プライマーバンド１５を適用することが示されている。アプリケーター１４は手動で動かすこともでき、又はアプリケーター１４は発光線１３に沿うようにプログラムしたロボットにより動かすこともできる。
【０００８】
図３を参照すると、接着プライマーが適用された後の、図２のフロントガラス１０が示されている。この接着プライマーは、接着プライマーの適用後に蒸発する溶剤を含有する。溶剤が蒸発すると、接着プライマーが適用された領域のフロントガラス１０が冷却される。電線１８でモニター１７に電気接続された赤外カメラ装置１６をフロントガラス１０に向け、フロントガラス１０の赤外画像１９を形成する。フロントガラス１０の赤外画像１９は、より低温の赤外画像１９の領域２０として、乾燥接着プライマーバンドを示す。図３に示した赤外画像形成装置を品質調整照合用に用いて、接着プライマーが適切に適用されたことを確認する。
【０００９】
図４を参照すると、接着プライマーの適用後の、図２のフロントガラス１０が示されている。接着プライマーは、紫外線を照射すると蛍光を発する蛍光成分を含有する。紫外線源２１を用いて、紫外線２２をフロントガラス１０に向け、フロントガラス１０上の接着プライマーバンドの蛍光成分に蛍光を発射させて、フロントガラス１０上の領域２３として明示する。図４に示した紫外線照射装置を品質調整照合用に用いて、接着プライマーが適切に適用されたことを確認する。
【００１０】
再び図１を参照すると、レーザー光スキャナー１２は、ＰＣＴ特許出願ＷＯ０１／８２６３４Ａ２号（米国特許出願第０９／５５３,２３５号、２０００年４月１９日出願に基づく優先権を主張するＰＣＴ／ＵＳ０１／１２７５１号）に記載の装置であることができる。このようなレーザー光スキャナーは、車のフロントガラスのような輪郭形状のガラス物体をスキャンするようにプログラムすることは容易である。しかしながら、任意の好適な装置を用いて、光をガラス物体に向け、ガラス物体の処理すべき部分に照明を施し又は明示させることができることを理解すべきである。例えば、デジタル「スライドショウ」プロジェクタを、プログラムされた多目的デジタルコンピュータ、例えば、Ｍｉｃｒｏｓｏｆｔ  Ｐｏｗｅｒ  Ｐｏｉｎｔ  (商標名）プロジェクション・ソフトウエアと組み合わせて使用でき、かかる組み合わせは、接着プライマーで処理すべき窓領域に照明を施すように構成する。本発明の更に重要な利点は、窓のエナメルバンド上に印刷又は表示された表示(例えば、エナメルバンド中の孔)と一致するように、窓のエナメルバンド上の各種地点に特異な表示（ｉｎｄｉｃｉａ、例えば、一列の点、又は幾何学的形状）を投影して、光プロジェクタ又はスキャナーに対して窓の位置が適切か否か確認し、そして／又はプライマーを施すべき窓が適切な規格か否かを確認できることである。
【００１１】
これまでの記載の多くは、車のフロントガラスに接着プライマーを適用することに関するものであったが、他のガラス処理も本発明に使用できることを理解すべきである。例えば、ガラス処理は、例えば、オイル及びグリースの除去洗浄であることもできる。処理されるべきガラス物体は任意の形状であることができる。接着プライマーとは、本明細書においては、エナメルバンド(又は裸ガラス)と硬化接着剤間の結合力（ＳＡＥ試験Ｊ１５２９又はＡＳＴＭ試験Ｄ１００２により測定する）を増強するために、エナメルバンド(又は裸ガラス)に適用される組成物として定義する。
【００１２】
処理すべきガラス物体を「封入」することもでき、例えば、窓の周囲にポリマーを成形した窓であることができる。本発明により、窓を接着プライマーで処理してガラスと硬化ポリマー間の結合力を増強できる。したがって、用語「接着プライマー」はまた、本明細書において、ガラスと硬化ポリマー間の結合力（ＳＡＥ試験Ｊ１５２９又はＡＳＴＭ試験Ｄ１００２により測定する）を増強させるために窓に適用する組成物として定義する。更に、封入された窓の露出した硬化ポリマー部分は、次に本発明により接着プライマーで処理して、硬化ポリマーとその封入窓を車体に結合するために使用した接着剤間の結合力を増強することができる。このように、用語「接着プライマー」はまた、本明細書において、硬化ポリマーと硬化接着剤間の結合力（ＳＡＥ試験Ｊ１５２９又はＡＳＴＭ試験Ｄ１００２により測定する）を増強させるために封入窓の硬化ポリマーの少なくとも一部に適用する組成物として定義する。
【００１３】
使用する具体的な赤外画像形成装置及び具体的な紫外線照射装置は、本発明において限定的ではない。本発明の赤外画像形成装置及び紫外線照射装置は、各種源、例えば、Ｅｄｍｕｎｄ  Ｉｎｄｕｓｔｒｉａｌ  Ｏｐｔｉｃｓ，Ｂａｒｒｉｎｇｔｏｎ，ＮＪ（ＵＳＡ）から容易に入手可能である。具体例としては、赤外画像形成装置は、Ｉｎｆｒａｍｅｔｒｉｃｓ，Ｉｎｃ．，Ｂｉｌｌｅｒｉｃａ，ＭＡ（ＵＳＡ）から入手可能なＭｏｄｅｌ７６０装置であることができる。紫外線照射装置は、Ｅｎｔｅｌａ  Ｃｏ．，Ｕｐｌａｎｄ，Ｃａｌｉｆｏｒｎｉａ（ＵＳＡ）から入手可能なＢｌａｋ−Ｒａｙ(商標名）ｍｏｄｅｌ  Ｂ１００Ａ紫外線ランプ集成体であることができる。
【００１４】
蛍光成分は、各種源、例えば、Ａｌｄｒｉｃｈ  Ｃｈｅｍｉｃａｌ  Ｃｏ．，Ｍｉｌｗａｕｋｅｅ  ＷＩから容易に入手可能である。具体例として、蛍光成分は、Ｃｉｂａ  Ｓｐｅｃｉａｌｔｙ  Ｃｈｅｍｉｃａｌｓ，Ｔａｒｒｙｔｏｗｎ，Ｎｅｗ  Ｙｏｒｋ（ＵＳＡ）から入手可能なＵｖｉｔｅｘ  ＯＢ(商標名）蛍光剤であることができる。接着プライマーに添加する蛍光剤の量は、窓を紫外線で照射した際、プライマーで処理した窓領域が明示されるのに十分な量でなければならない。具体例としては、Ｔｈｅ  Ｄｏｗ  Ｃｈｅｍｉｃａｌ  Ｃｏｍｐａｎｙ，Ｍｉｄｌａｎｄ，ＭＩ（ＵＳＡ）から入手可能なＢｅｔａｓｅａｌ  ４３５１８(商標名）接着プライマーは、０．０５重量％のＵｖｉｔｅｘ  ＯＢ(商標名）蛍光剤を含有することがある。接着プライマーに使用される具体的な蒸発溶剤は、その溶剤が、赤外画像形成装置を用いて検出するのに十分な冷却度を引き起こすのに十分な速度で蒸発する限り、本発明において限定的ではない。具体例としては、Ｔｈｅ  Ｄｏｗ  Ｃｈｅｍｉｃａｌ  Ｃｏｍｐａｎｙ，Ｍｉｄｌａｎｄ，ＭＩ（ＵＳＡ）から入手可能なＢｅｔａｓｅａｌ  ４３５１８(商標名）接着プライマーは、既にそのような溶剤を含有する。
【実施例】
【００１５】
実施例１
Ｋｏｄａｋ  ＤＣＳ  Ｐｒｏ  １４ｎ  ｍｏｄｅｌデジタルカメラ及びＳｏｎｙ  ｍｏｄｅｌ  ＳＶＧＡ  ＶＰＬ−ＣＳ１ＬＣＤプロジェクタを、接着剤適用ワークステーション上に搭載した。２００３  Ｆｏｒｄ  Ｍｕｓｔａｎｇ用のクオータ（ｑｕａｒｔｅｒ）ガラス窓（Ｈａｒｍｏｎ  Ａｕｔｏ  Ｇｌａｓｓ，Ｍｉｎｎｅａｐｏｌｉｓ，ＭＮ（ＵＳＡ））から保護パッケージを取り外し、次いで窓をワークステーションの位置決めジグ上に配置した。Ｍｉｃｒｏｓｏｆｔ  Ｗｉｎｄｏｗｓ  ＸＰ(商標名)ＯＳ及びＷｉｎｄｏｗｓ  Ｐｏｗｅｒ  Ｐｏｉｎｔ(商標名)プロジェクション・ソフトウエアでプログラムされたＩｎｔｅｌ  Ｐｅｎｔｉｕｍ  ４(商標名）プロセッサを備えた多目的デジタルコンピュータを、前記プロジェクタ及びカメラと接続した。デジタルカメラからの画像をコンピュータにダウンロードし、接着プライマーを適用するのが望ましい窓の周囲辺りにテンポイントグリーン線を投影するように、Ｗｉｎｄｏｗｓ  Ｐｏｗｅｒ  Ｐｏｉｎｔ(商標名)プロジェクション・ソフトウエアをプログラムするのに用いた。
【００１６】
Ｄｏｗ  Ａｕｔｏｍｏｔｉｖｅアフターマーケット交換グラスウール塗り刷毛（Ｔｈｅ  Ｄｏｗ  Ｃｈｅｍｉｃａｌ  Ｃｏｍｐａｎｙ，Ｍｉｄｌａｎｄ，ＭＩ（ＵＳＡ）から入手可能）に、Ｄｏｗ  Ｂｅｔａｓｅａｌ  ４３５１８(商標名）明澄接着プライマーを飽和させ、次いで窓上に投影された線に沿ってプライマーを手動で適用するのに使用した。プライマーを適用した窓領域を、糸屑を含まない布で拭き取り、次いでＤｏｗ  Ｂｅｔａｓｅａｌ  ４３５２０Ａ(商標名）ブラックアウトプライマーを、２．５ｃｍ幅の天然毛ブラッシを用いて、窓上に投影された線に沿って適用した。その後、Ｄｏｗ  Ｂｅｔａｓｅａｌ  ５７３０２(商標名）接着剤を、Ｍｉｌｗａｕｋｅｅ  ｍｏｄｅｌ  ６５５０−２０コーキングガン（Ｍｉｌｗａｕｋｅｅ  Ｔｏｏｌ  Ｗｏｒｋｓ，Ｂｒｏｏｋｆｉｅｌｄ，ＷＩ（ＵＳＡ）から入手可能）を用いて、窓上に投影された線に沿って適用した。窓をワークステーションから取り出し、次いで２００３  Ｆｏｒｄ  Ｍｕｓｔａｎｇのクオータガラス窓開口部に結合した。
【００１７】
実施例２
Ｋｏｄａｋ  ＤＣＳ  Ｐｒｏ  １４ｎ  ｍｏｄｅｌデジタルカメラ、Ｓｏｎｙ  ｍｏｄｅｌ  ＳＶＧＡ  ＶＰＬ−ＣＳ１ＬＣＤプロジェクタ及びＢｌａｋ−Ｒａｙ  ｍｏｄｅｌ  Ｂ１００Ａ  ＵＶランプを、接着剤適用ワークステーション上に搭載した。２００３  Ｆｏｒｄ  Ｅｘｐｌｏｒｅｒ  ＳＵＶ用のクオータガラス窓（Ｈａｒｍｏｎ  Ａｕｔｏ  Ｇｌａｓｓ，Ｍｉｎｎｅａｐｏｌｉｓ，ＭＮ（ＵＳＡ））から保護パッケージを取り外し、次いで窓をワークステーションの位置決めジグ上に配置した。Ｍｉｃｒｏｓｏｆｔ  Ｗｉｎｄｏｗｓ  ＸＰ(商標名）ＯＳ及びＷｉｎｄｏｗｓ  Ｐｏｗｅｒ  Ｐｏｉｎｔ(商標名）プロジェクション・ソフトウエアでプログラムされたＩｎｔｅｌ  Ｐｅｎｔｉｕｍ  ４(商標名）プロセッサを備えた多目的デジタルコンピュータを、前記プロジェクタ及びカメラと接続した。デジタルカメラからの画像をコンピュータにダウンロードし、接着プライマーを適用するのが望ましい窓の周囲辺りにテンポイントグリーン線を投影するように、Ｗｉｎｄｏｗｓ  Ｐｏｗｅｒ  Ｐｏｉｎｔ(商標名）プロジェクション・ソフトウエアをプログラムするのに用いた。
【００１８】
２５ｍｇのＵｖｉｔｅｘ  ＯＢ(商標名）蛍光剤（Ｃｉｂａ  Ｇｅｉｇｙ）を１００ｇのＤｏｗ  Ｂｅｔａｓｅａｌ  ４３５１８(商標名）明澄接着プライマーと混合し、窓上に投影された線に沿って手動で適用した。窓のプライマーを施した領域は、プライマーを施した領域の青白蛍光により明示された。Ｄｏｗ  Ｂｅｔａｓｅａｌ  ５７３０２(商標名）接着剤を、Ｍｉｌｗａｕｋｅｅ  ｍｏｄｅｌ  ６５５０−２０コーキングガンを用いて、窓上に投影された線に沿って適用した。窓をワークステーションから取り出し、次いで２００３  Ｆｏｒｄ  Ｅｘｐｌｏｒｅｒのクオータガラス窓開口部に結合した。
【００１９】
実施例３
Ｋｏｄａｋ  ＤＣＳ  Ｐｒｏ  １４ｎ  ｍｏｄｅｌデジタルカメラ、Ｓｏｎｙ  ｍｏｄｅｌ  ＳＶＧＡ  ＶＰＬ−ＣＳ１ＬＣＤプロジェクタ及びＩｎｆｒａｍｅｔｒｉｃｓ  Ｍｏｄｅｌ  ７６０赤外カメラ装置を接着剤適用ワークステーション上に搭載した。２００３  Ｆｏｒｄ  Ｆ２５０ピックアップトラック用のフロントガラス（Ｈａｒｍｏｎ  Ａｕｔｏ  Ｇｌａｓｓ，Ｍｉｎｎｅａｐｏｌｉｓ，ＭＮ（ＵＳＡ））をワークステーションの位置決めジグ上に配置した。Ｍｉｃｒｏｓｏｆｔ  Ｗｉｎｄｏｗｓ  ＸＰ(商標名）ＯＳ及びＷｉｎｄｏｗｓ  Ｐｏｗｅｒ  Ｐｏｉｎｔ(商標名）プロジェクション・ソフトウエアでプログラムされたＩｎｔｅｌ  Ｐｅｎｔｉｕｍ  ４(商標名）プロセッサを備えた多目的デジタルコンピュータを、前記プロジェクタ及びカメラと接続した。デジタルカメラからの画像をコンピュータにダウンロードし、接着プライマーをフロントガラスに適用するのが望ましい窓の周囲辺りにテンポイントグリーン線を投影するように、Ｗｉｎｄｏｗｓ  Ｐｏｗｅｒ  Ｐｏｉｎｔ(商標名）プロジェクション・ソフトウエアをプログラムするのに用いた。
【００２０】
Ｄｏｗ  Ｂｅｔａｓｅａｌ  ４３５１８ (商標名）明澄接着プライマーを、フロントガラス上に投影された線に沿って手動で適用した。プライマーが乾燥する際、プライマーを施した領域が色変化することにより、フロントガラスのプライマーを施した領域は、赤外カメラ装置のモニター中に明示された(特に赤外カメラ装置の画像減法混色特性を用いた場合)。Ｄｏｗ  Ｂｅｔａｓｅａｌ  ５７３０２(商標名）接着剤を、Ｍｉｌｗａｕｋｅｅ  ｍｏｄｅｌ  ６５５０−２０コーキングガンを用いて、フロントガラス上に投影された線に沿って適用した。フロントガラスをワークステーションから取り出し、次いで２００３  Ｆｏｒｄ  Ｆ２５０ピックアップのフロントガラス窓開口部に結合した。
【図面の簡単な説明】
【００２１】
【図１】図１は、フロントガラスの縁端近傍に発光線を形成するために、光線を繰り返しスキャンしている状態の車のフロントガラスを示す。
【図２】図２は、発光線に沿って、図１の車のフロントガラスに適用された接着プライマーを示す。
【図３】図３は、赤外画像形成装置を用いて検知される、車のフロントガラスを示す。
【図４】図４は、紫外線で照明を施された車のフロントガラスを示す。
【図１】
2005529739.tif 000003
【図２】
2005529739.tif 000004
【図３】
2005529739.tif 000005
【図４】
2005529739.tif 000006
【国際調査報告】
2005529739.tif 000007
2005529739.tif 000008
2005529739.tif 000009